(57)【要約】
【課題】  バールや小型動力工具を用いて金庫自体が盗まれるのを防ぐ。
【解決手段】  金庫１６を、台座１、蓋体２、カバー１７及び前面板１４よりなる防護装置によって包囲する。台座１は床面にアンカーボルト２５等によって固定され、側縁４の上端に内方へ向かう水平縁７を形成する。台座１上に固定した蓋体２には窓１１と、下端が水平縁７に間隙９を隔てて対峙する外部誘導レール８とを設け、かつその上に金庫１６を載置する。カバー１７の前縁にはコ字形をなす額縁２２、２３を設け、両側面の下端には水平縁７に接する水平縁２０と外部誘導レール８の内面に接する内部誘導レール２１とを設け、前方より台座１に嵌合し、額縁２２、２３を金庫１６の前面に当接させる。台座１の前面に設けた支持部１５に前面板１４を挿入することにより、カバー１７は取外し不能になる。
【選択図】  図６
0003101210.tif 000002
【実用新案登録請求の範囲】
【請求項１】
一体に形成された水平な底面部とその両側よりそれぞれ立上った側面部とこれら側面部の上端よりそれぞれ水平内方向へ折曲形成された水平縁部とを有する台座と、この台座の上方に支持体によって支持され両側縁が上記水平縁部に向かってそれぞれ折曲されて外部誘導レールを形成している蓋体と、この蓋体上に置かれた金庫の上面及び両側面を覆いこの両側面部分の下縁が上記水平縁部に沿って水平内方へ折曲され更にそれらの先端が垂直に立上って上記外部誘導レールの内面に接する内部誘導レールをそれぞれ形成しているカバーと、上記台座の底面部及び側面部の前端縁をそれぞれ内方へ向かって折曲した支持部内に下縁及び両側縁が支持されている前面板とよりなる金庫防護装置。
【請求項２】
上記台座の底面部にはアンカーボルトの挿通孔が形成され上記蓋体は上記アンカーボルトの操作用の窓を有することを特徴とする請求項１記載の金庫防護装置。
【請求項３】
上記金庫の後端に当接する位置に上記蓋体よりストッパーが立上っていることを特徴とする請求項１記載の金庫防護装置。
【請求項４】
上記カバーの上面及び両側面部分の前部はその端縁が上記金庫の前面に当接するコ字形状に折曲された額縁を形成し、上記支持部とこの額縁前面との間に上記前面板の厚味に相当する間隙が存在することを特徴とする請求項１記載の金庫防護装置。
【請求項５】
上記前面板の上端は後方へ向けて折曲されてその端縁が上記金庫に接触していることを特徴とする請求項１記載の金庫防護装置。
【請求項６】
上記前面板の適所は上記額縁の表面に溶接されていることを特徴とする請求項１記載の金庫防護装置。
【請求項７】
上記前面板の表面の適所は上記支持部に溶接されていることを特徴とする請求項１記載の金庫防護装置。
【請求項８】
上記台座と上記カバーと上記前面板とは不錆鋼によって形成されていることを特徴とする請求項１記載の金庫防護装置。
【考案の詳細な説明】
【技術分野】
【０００１】
本考案は金庫自体が盗難に遭うのを防ぐ装置に関する。
【背景技術】
【０００２】
一般に金庫は、犯人等がこれを開くためには動力工具を用い長い作業時間をかけることが必要で、その間に警報をを受けた警備会社から警備員が到着すれば犯行は未遂に終る。従って近年は、現場で金庫を開くのではなく、金庫自体を持ち去る犯罪が増加している。そしてその手口は、バール等の工具を使用して床面等との間の結合構造を破壊して屋外へ搬出するものである。
【考案の開示】
【考案が解決しようとする課題】
【０００３】
よって本考案では、バール類や小型の動力工具類を用いたのでは、金庫の扉を開くのは勿論のこと、金庫自体を持ち去ることも不可能なように、金庫を防護装置によって包囲しようとするものである。
【課題を解決するための手段】
【０００４】
本考案の装置は、床に強固に結合される台座と、この台座を覆いその上に金庫を載置する蓋体と、この金庫の上面及び両側面を覆い下縁が上記台座の上面にその前方から後方へ向けて挿入することによって隙間無く結合するカバーと、上記台座の前面の上記カバーを挿入した開口を閉塞する前板とよりなる。
【０００５】
上記台座は、平坦な底面とその両側から立上った両側面と、更に両側面の上部から内方へ折曲された水平縁とを有する箱状をなし、その底面に植立された支持体上に蓋体が支持されている。この蓋体の両側縁は上記水平縁へ向けて垂直下方に折曲されて外部誘導レールを形成し、上記水平縁と外部誘導レールとの間には狭い間隙が形成されている。
【０００６】
上記カバーは、金庫の上面及び両側面を覆っており、両側面部分の下縁は上記台座の水平縁に平行に内方へ向かって折曲され、それらの先端は上記間隙を通った後、垂直に折曲されて上記外部誘導レールの内面に接触する内部誘導レールを形成している。このカバーは、その内部誘導レールが上記蓋体の外部誘導レールに接触するように上記蓋体にその前面からは嵌合され、蓋体上の金庫を包囲する。
【０００７】
上述のように、台座にカバーを結合した後、台座の前端縁に形成した支持部内に前面板を挿入する。この前面板は、上記支持部及び上記カバーの前縁部分に溶接することにより、除去が不能になり、カバーを台座から取外して金庫を取出すことを不可能にする。
【考案の効果】
【０００８】
上述の防護装置を用いることにより、金庫は頑丈に包囲されるために金庫だけを持去ることはできない。そして防護装置自体も、バール等や小型動力工具程度では破壊できないので、金庫を保護することができる。
【考案を実施するための最良の形態】
【０００９】
本考案の装置の材料は、不錆鋼、即ちＳＵＳ−３０４などが、小型動力工具を用いた破壊に対する耐力の面で優れ、かつ溶接も普通鋼より困難であるので、溶接機を用いた破壊に対する耐力も大きいから、これを用いることが望ましい。また、外表面に現れる材料相互間には、例えばバール等を押込み得るような幅の隙間が無いことが望ましい。
【実施例】
【００１０】
図１及び図２は台座１及び蓋体２の平面図及び正面図である。台座１は底面部３及び側面図４、４を有し、底面部３上に植立された支持板５、５、６、６上に蓋体２が支持されている。側面部４、４の上部は内方へ折曲されて水平縁７、７を形成しその先端は外側支持５、５に結合されている。蓋体２の両側縁は垂直に下方へ折曲され、その内側面は外部誘導レール８、８をそれぞれ形成し、その下端縁と水平縁７、７との間にはそれぞれ隙間９、９が存在する。
【００１１】
台座１の底面部３にはアンカーボルトの挿通孔１０、１０……が穿孔され、蓋体２はこれらのアンカーボルトを操作するための窓１１、１１を有する。蓋体２の後縁は垂直に立上ってストッパー１２を形成し、前縁は垂直に下方へ折曲されて補強縁１３を形成している。台座１の底面部３及び側面部４、４の前縁はそれぞれ直角に内方へ折曲されて、後述する前面板１４を挿入するための額縁状の支持部１５を形成している。
【００１２】
図３乃至図６は、蓋体２上に金庫１６を載置しカバー１７を被せた状態を示し、図３は正面図、図４は側面図、図５は図３におけるＡ−Ａ線に沿う断面図、図６は図４におけるＢ−Ｂ線に沿う断面図である。
【００１３】
カバー１７は、金庫１６の上面及び両側面を覆う上面部１８及び両側面部１９、１９と両側面部分１９、１９の下縁が台座１の水平縁７、７にそれぞれ沿って水平内方へ折曲された水平縁２０、２０と、更にそれから垂直に立上って蓋体２の外部誘導レール８、８の内面にそれぞれ接する内部誘導レール２１、２１を有する。更にカバー１７の上面部１８及び両側面部１９、１９の前縁は、内方へ向かってコ字形に折曲されて額縁２２及び２３、２３を形成し、その端縁は金庫１６の前面に当接している。
【００１４】
この防護装置を設置するには、先づ部屋の壁面に接して図６に示すように基礎２４を築き、これにアンカーボルト２５、２５を植立する。次いで基礎２４の上面に接着剤２６を塗布し、その上に台座１の背面を壁面に密着させて置き、これをアンカーボルト２５、２５により固定する。
【００１５】
次に蓋体２上に金庫１６を、その後端をストッパー１２に当接させて載置し、カバー１９を前面から後方へ向かって嵌め込む。このとき、カバー１９の水平縁２０、２０は蓋体２の水平縁７、７に沿って隙間９、９をそれぞれ通過し、カバー１９側の内部誘導レール２１、２１はそれぞれ蓋体側の外部誘導レール８、８に接しながら摺動する。
【００１６】
カバー１９の額縁２３、２３の端縁がそれぞれ金庫１６の前面に当接するまでカバー１９を移動させたら、図７に示す前面板１４を台座１の前縁に形成された支持部１５内へ上方から押込み、前面板１４の上部に後方へ向かって形成された折曲部２７を蓋体２の前縁に形成された補強縁１３に密接させ、最後に図３に示すように前面板１４をカバー１７の額縁２２、２２にそれぞれ溶接２８、２８すると共に、支持部１５にも溶接２９する。
【００１７】
本考案の防護装置は、上述のように基礎に接着剤によって接着され、かつアンカーボルトによって固定されているので、防護装置ごと金庫を持去ることは事実上不可能である。そして防護装置におけるカバーと台座の間、金庫前面とカバー額縁との間、台座と前面板との間の隙間は極めて少ないためにバール等の工具の先端を挿入して破壊するのは困難であり、かつ材料としてＳＵＳ−３０４鋼のような難加工性の素材を使用することにより、小型動力工具を用いて防護装置を破壊するのも困難である。よって金庫を開くことによる内容物の盗難や、金庫自体の盗難を有効に防護することができる。
【図面の簡単な説明】
【００１８】
【図１】本考案の実施例における台座の平面図である。
【図２】同実施例における台座の正面図である。
【図３】同実施例の正面図である。
【図４】同実施例の側面図である。
【図５】図３におけるＡ−Ａ線に沿う断面図である。
【図６】図４におけるＢ−Ｂ線に沿う断面及び基礎への取付状態を示す図である。
【図７】同実施例における前面板の見取図である。
【符号の説明】
【００１９】
１        台座
２        蓋体
３        台座底面部
４        台座側面部
５        支持体
６        支持体
７        台座水平縁
８        外部誘導レール
９        間隙
１０      アンカーボルト挿通孔
１１      蓋体の窓
１２      蓋体のストッパー
１３      蓋体の補強縁
１４      前面板
１５      前面板の支持部
１６      金庫
１７      カバー
１８      カバー上面部
１９      カバー側面図
２０      カバー水平縁
２１      内部誘導レール
２２      額縁
２３      額縁
２４      基礎
２５      アンカーボルト
２６      接着剤
２７      前面板の折曲部
２８      溶接
２９      溶接
【図１】
0003101210.tif 000003
【図２】
0003101210.tif 000004
【図３】
0003101210.tif 000005
【図４】
0003101210.tif 000006
【図５】
0003101210.tif 000007
【図６】
0003101210.tif 000008
【図７】
0003101210.tif 000009